【手続補正書】
【提出日】平成22年4月1日(2010.4.1)
【手続補正１】
【補正対象書類名】明細書
【補正対象項目名】特許請求の範囲
【補正方法】変更
【補正の内容】
【特許請求の範囲】
【請求項１】  外周面が波山状になされた凹凸部を有する蛇腹管を接続する差込式管継手において、
前記蛇腹管を挿入するための管挿入孔が形成されて内壁面が段部状になされた継手本体と、
前記継手本体の内壁面に沿って摺動可能に設けられたリング状のパッキン部材と、
前記継手本体の先端側に設けられて前記パッキン部材と係合されて前記パッキン部材と一体的に摺動可能になされたリング状のナット部材と、
前記パッキン部材に設けられて、前記蛇腹管が挿入された時に前記蛇腹管の先端と当接する係合突起と、
前記ナット部材が前記継手本体内に挿入された時に前記ナット部材と係合して抜けを阻止するストップリング部材と、を備え、
前記ナット部材には、前記蛇腹管に引き抜き方向に力を付与した時に前記蛇腹管を抜け止めするリテーナ部材を縮径方向へ変形させて前記蛇腹管の凹部へ押圧する抜け防止テーパ面が形成されていることを特徴とする差込式管継手。
【請求項２】  外周面が波山状になされた凹凸部を有する蛇腹管を接続する差込式管継手において、
前記蛇腹管を挿入するための管挿入孔が形成されて内壁面が段部状になされた継手本体と、
前記継手本体の内壁面に沿って摺動可能に設けられたリング状のパッキン部材と、
前記継手本体の先端側に設けられて前記継手本体に対して摺動可能になされたリング状のナット部材と、
前記パッキン部材に設けられて、前記蛇腹管が挿入された時に前記蛇腹管の先端と当接する係合突起と、
前記ナット部材が前記継手本体内に挿入された時に前記ナット部材と係合して抜けを阻止するストップリング部材と、を備え、
前記ナット部材には、前記蛇腹管に引き抜き方向に力を付与したときに前記蛇腹管を抜け止めするリテーナ部材を縮径方向へ変形させて前記蛇腹管の凹部へ押圧する抜け防止テーパ面が形成され、
前記蛇腹管を前記継手本体内へ挿入することにより、前記パッキン部材を弾性的に縮径させ、前記パッキン部材の内周面と前記蛇腹管の外周面とを密接にシールするように構成したことを特徴とする差込式管継手。
【請求項３】  前記係合突起は、前記パッキン部材の基端部に設けられると共に、その内径が前記蛇腹管の凹部の直径よりも小さく設定されているリング状の耐火パッキン部材よりなることを特徴とする請求項１又は２記載の差込式管継手。
【請求項４】  前記ストップリング部材は、半径方向へ弾性的に拡縮可能になされたリング状のコイル部材よりなることを特徴とする請求項１乃至３のいずれか一項に記載の差込式管継手。
【請求項５】  前記ナット部材の基端部と前記パッキン部材の先端部とは、凹凸状の係合段部を嵌め込むことによって係合されていることを特徴とする請求項１乃至４のいずれか一項に記載の差込式管継手。
【請求項６】  前記ナット部材の基端部と前記パッキン部材の先端部とは、接着剤を用いて強固に接合することにより係合されていることを特徴とする請求項１乃至４のいずれか一項に記載の差込式管継手。
【請求項７】  前記継手本体内には、前記蛇腹管が挿入された時に前記蛇腹管の半径方向に弾性的に拡縮しながら前記蛇腹管を内側に挿通させるコイルリング状のリテーナ部材が設けられていることを特徴とする請求項１乃至６のいずれか一項に記載の差込式管継手。
【手続補正２】
【補正対象書類名】明細書
【補正対象項目名】０００８
【補正方法】変更
【補正の内容】
【０００８】
請求項２に規定する発明は、外周面が波山状になされた凹凸部を有する蛇腹管を接続する差込式管継手において、前記蛇腹管を挿入するための管挿入孔が形成されて内壁面が段部状になされた継手本体と、前記継手本体の内壁面に沿って摺動可能に設けられたリング状のパッキン部材と、前記継手本体の先端側に設けられて前記継手本体に対して摺動可能になされたリング状のナット部材と、前記パッキン部材に設けられて、前記蛇腹管が挿入された時に前記蛇腹管の先端と当接する係合突起と、前記ナット部材が前記継手本体内に挿入された時に前記ナット部材と係合して抜けを阻止するストップリング部材と、を備え、前記ナット部材には、前記蛇腹管に引き抜き方向に力を付与したときに前記蛇腹管を抜け止めするリテーナ部材を縮径方向へ変形させて前記蛇腹管の凹部へ押圧する抜け防止テーパ面が形成され、前記蛇腹管を前記継手本体内へ挿入することにより、前記パッキン部材を弾性的に縮径させ、前記パッキン部材の内周面と前記蛇腹管の外周面とを密接にシールするように構成したことを特徴とする差込式管継手である。
この場合、例えば請求項３に規定するように、前記係合突起は、前記パッキン部材の基端部に設けられると共に、その内径が前記蛇腹管の凹部の直径よりも小さく設定されているリング状の耐火パッキン部材よりなっている。
また、例えば請求項４に規定するように、前記ストップリング部材は、半径方向へ弾性的に拡縮可能になされたリング状のコイル部材よりなっている。
【手続補正３】
【補正対象書類名】明細書
【補正対象項目名】０００９
【補正方法】変更
【補正の内容】
【０００９】
請求項５に規定する発明によれば、前記ナット部材の基端部と前記パッキン部材の先端部とは、凹凸状の係合段部を嵌め込むことによって係合されている。
また、例えば請求項６に規定するように、前記ナット部材の基端部と前記パッキン部材の先端部とは、接着剤を用いて強固に接合することにより係合されている。
また、請求項７に規定するように、前記継手本体内には、前記蛇腹管が挿入された時に前記蛇腹管の半径方向に弾性的に拡縮しながら前記蛇腹管を内側に挿通させるコイルリング状のリテーナ部材が設けられている。
【手続補正４】
【補正対象書類名】明細書
【補正対象項目名】００１２
【補正方法】変更
【補正の内容】
【００１２】
上記パッキン部材３２は、合成ゴムの弾性体よりなると共に、上記ナット部材３０と同様に上記継手本体２６に略内接するように形成される。このパッキン部材３２は、先端側の気密パッキン部材３２Ａと後端側の耐火パッキン部材３２Ｂとよりなり、両パッキン部材３２Ａ、３２Ｂは、それぞれの用途に合った合成ゴムにより一体成形される。
上記気密パッキン部材３２Ａの先端には、凸状になされたリング状の係合段部４８が形成されると共に、上記ナット部材３０の基端部には、凹状になされたリング状の係合段部５０が形成されており、両凹凸状の係合段部５０、４８は互いに嵌め合って連結されて、前述したようにナット部材３０とパッキン部材３２とが一体的に継手本体２６の内壁に沿って摺接しつつ移動できるようになっている。
【手続補正５】
【補正対象書類名】明細書
【補正対象項目名】００２５
【補正方法】変更
【補正の内容】
【００２５】
【発明の効果】
以上説明したように、本発明の差込式管継手によれば、次のように優れた作用効果を発揮することができる。
請求項１及びこれを引用する請求項の本発明によれば、蛇腹管が挿入されるとこの先端はリング状のリテーナ部材に当接し、このリテーナ部材内に蛇腹管は、リテーナ部材の直径を拡縮させながら挿通し、更に蛇腹管を押し込むとこの先端はパッキン部材に設けた係合突起に当接して、このパッキン部材とナット部材が一体的に押し込まれ、ナット部材が最も奥に嵌まり込んだ位置で、ストップリング部材がナット部材と係合してこの抜けを阻止することになり、ここで蛇腹管に引き抜き方向に力を付与すると、ナット部材に形成した抜け防止テーパ面の作用より蛇腹管の引き抜きが阻止されるように作用するので、蛇腹管を継手本体内に十分に差し込んで挿入するだけで、良好なシール性を維持した状態で蛇腹管の接続を行うことができる。
従って、差込式管継手の構造をそれ程複雑化させることなく蛇腹管の接続操作を簡単に且つ確実に行なうことができる。
請求項２及びこれを引用する請求項の発明によれば、蛇腹管が挿入されるとこの先端はパッキン部材に設けた係合突起に当接して、このパッキン部材が押し込まれ、パッキン部材を弾性的に縮径させるので、パッキン部材の内周面と上記蛇腹管の外周面とを密接にシールすることができる。
【手続補正６】
【補正対象書類名】図面
【補正対象項目名】図１
【補正方法】変更
【補正の内容】
【図１】
2003028363.tif 000001
【手続補正７】
【補正対象書類名】図面
【補正対象項目名】図２
【補正方法】変更
【補正の内容】
【図２】
2003028363.tif 000002